(57)【要約】【課題】複数枚のメディアを、同一のフォーマット設定でフォーマットする場合、１枚のメディアのフォーマット動作が完了するたびに、ユーザーの手動操作によるメディアの入れ替えを行ってから、再度、フォーマット設定を選択し直したり、確認したりしなければならず、ユーザーにとっては、連続フォーマットを実行するための手間や負荷がかかり、時間をかけてしまうこと。【解決手段】メディアのフォーマットが終了するとき、第１のフォーマット設定処理部１０１で取得したフォーマット設定のままで別のメディアでフォーマット続行するかを決定するフォーマット継続処理部１０４を備え、フォーマット続行はしないが新たにフォーマット設定を第２のフォーマット設定処理部で取得することにより、複数枚のメディアのフォーマット動作を連続で実行できるようになる。【選択図】図１
2011096336.tif 000002
【特許請求の範囲】
【請求項１】
情報記録装置に、第１のメディアのフォーマット条件を設定する第１のフォーマット設定ステップと、
前記第１のフォーマット設定ステップで設定したフォーマット条件で第１のメディアのフォーマット動作を実行する第１のフォーマット実行ステップと、
前記第１のフォーマット設定ステップで設定した条件で、第２のメディアのフォーマットを実行するか否かを決定する決定ステップと、
前記決定ステップで実行しないと決定された場合で、かつフォーマットを終了しない場合には、該情報記録装置に、第２のメディアのフォーマット条件を設定する第２のフォーマット設定ステップと、
前記第２のフォーマット設定ステップで設定したフォーマット条件で第２のメディアのフォーマット動作を実行する第２のフォーマット実行ステップを有することを特徴とする請メディアのフォーマット方法。
【請求項２】
請求項１に記載のメディアのフォーマット方法を含むプログラム。
【発明の詳細な説明】
【技術分野】
【０００１】
本発明はメディアのフォーマット手段を備えたメディア初期化プログラムに関するものである。
【背景技術】
【０００２】
従来のメディア初期化プログラムでのフォーマット動作について、図３と図４を用いて説明する。
【０００３】
図３は、従来のメディア初期化プログラムでのフォーマット動作の構成図である。図４は、前記図３の構成図におけるフォーマット動作を説明するフローチャートである。
【０００４】
図３において、第１のフォーマット設定処理部３０１は、フォーマットするメディアを装着しているメディア記録再生装置の選択、ＵＤＦ（Ｕｎｉｖｅｒｓａｌ  Ｄｉｓｋ  Ｆｏｒｍａｔ）などのファイルシステム規格の選択、論理フォーマットか物理フォーマットかのフォーマットモードの選択といったフォーマット動作に関わる設定をユーザーが入力して、メディア初期化プログラムがこのフォーマット設定情報を取得する。これが、第１のフォーマット設定ステップである。フォーマット実行処理部３０２は、前記第１のフォーマット設定処理部３０１で設定したフォーマット条件で、メディアのフォーマット処理を実行する。これが、第１のフォーマット実行ステップである。フォーマット終了処理部３０３は、メディアのフォーマット処理が終了したときに、ユーザーにメッセージを表示したり、フォーマットしたメディアを装着しているメディア記録再生装置のトレイをアンロードさせたりする。
【０００５】
図４において、図３を参照しながら説明する。
【０００６】
ステップＳ４０１は、メディア初期化プログラムを起動するステップである。
【０００７】
ステップＳ４０２は、ユーザーがフォーマット設定情報を入力し、ディア初期化プログラムがこのフォーマット設定情報を取得するステップである。
【０００８】
ステップＳ４０３は、前記ステップＳ４０２で入力したフォーマット設定情報を確認するステップで、もし設定内容に間違いがあれば、ユーザーがステップＳ４０２で再度フォーマット設定情報を入力する。前記ステップＳ４０２とステップＳ４０３は、第１のフォーマット設定処理部３０１に相当する。これは、第１のフォーマット設定ステップにあたる。
【０００９】
ステップＳ４０４は、前記ステップＳ４０２で取得したフォーマット設定の条件で、メディアのフォーマット動作を実行するステップで、フォーマット実行処理部３０２に相当する。
【００１０】
ステップＳ４０５は、前記ステップＳ４０４でのフォーマット動作が終了したときの処理を行うステップで、フォーマット終了処理部３０３に相当する。フォーマット実行処理部３０２とフォーマット終了処理部３０３は、第１のフォーマット実行ステップにあたる。
第１のフォーマット実行ステップでは、メディア初期化プログラムは、ユーザーに対して、フォーマット動作が終了したという旨のメッセージを表示させるのが一般であるが、続けてメディアをフォーマットするかを問い合わせるメッセージはほとんどない。そこで、前記メッセージに対してユーザーがボタン操作などを行うと、ステップＳ４０８のメディア初期化プログラムの終了に移行する場合があれば、ステップＳ４０２のフォーマット設定に戻る場合がある。なお、フォーマット動作が終了するとき、従来のメディア初期化プログラムによっては、メディア記録再生装置のトレイをアンロードさせるコマンドを発信する場合があれば、そのコマンドを発信しない場合がある。コマンドを発信しない場合は、ユーザーがメディア記録再生装置のイジェクトボタンを押してトレイをアンロードさせる必要がある。
【００１１】
ステップＳ４０６は、フォーマット動作が終了した後、続けてメディアをフォーマットするかを判定するステップで、フォーマットを続行するかは、ユーザーの意思決定になる。
【００１２】
ステップＳ４０７は、前記ステップＳ４０６で、ユーザーがフォーマットを続行すると決定された場合に、ユーザーがメディア記録再生装置のイジェクトボタンを押してトレイをロードさせるステップであり、これは、ユーザーの手動操作で制御される。トレイのロード後は、ステップＳ４０２のフォーマット設定に移行するが、過去に入力していたフォーマット設定情報がリセットされてしまうことがあり、この場合は、ユーザーが再度フォーマット設定入力を行わなければならなかった。
【００１３】
ステップＳ４０８は、前記ステップＳ４０５でのフォーマット動作が終了した後、もしくは前記ステップＳ４０６で、続けてメディアをフォーマットしないと判定された場合、メディア初期化プログラムを終了させるステップである。
【００１４】
なお、関連する先行技術文献として以下の文献がある（例えば、特許文献１参照）。
【先行技術文献】
【特許文献】
【００１５】
【特許文献１】特開平６−７６４５０号公報
【発明の概要】
【発明が解決しようとする課題】
【００１６】
しかしながら、前記従来の構成では、複数枚のメディアを連続的にフォーマットしようとした場合、１枚目のメディアのフォーマット動作が終了した後、メディアを入れ替えてから、再度フォーマット設定情報の選択入力および確認を行わなければならないという課題を有していた。
【００１７】
さらに、メディアを入れ替える場合、ユーザーがメディア記録再生装置のイジェクトボタンを押してメディア記録再生装置のトレイのロードおよびアンロードを行わなければならないという課題も有していた。
【００１８】
本発明は、前記従来の課題を解決するもので、複数枚のメディアを連続的にフォーマットするとき、最初にフォーマット実行したときのフォーマット設定情報をこのまま継承することによって、２枚目以降のメディアのフォーマットは、ユーザーによるメディア記録再生装置のイジェクトボタンを操作する手間が省け、また、前回と同じフォーマット設定と同じ条件でフォーマットする場合、ユーザーがフォーマット設定情報の選択入力および確認を必要とせずにこのままフォーマット動作を実行することを可能にしたメディア初期化プログラムを提供することを目的とする。
【課題を解決するための手段】
【００１９】
前記従来の課題を解決するために、本発明のメディア初期化プログラムは、同一のフォーマット設定、または異なるフォーマット設定によって、別のメディアのフォーマットを実行するか否かを決定する決定ステップを有し、同一のフォーマット設定によるフォーマットを実行する場合は、ユーザーの操作なしで自動的にフォーマット動作を実行させることを最も主要な特徴とする。
【発明の効果】
【００２０】
本発明のメディア初期化プログラムによれば、複数枚のメディアの連続フォーマットを実行する場合、２枚目以降のメディアのフォーマット動作で、前回のフォーマット動作と同じフォーマット設定であれば、ユーザーによるフォーマット設定の選択入力および確認を行う手間を省略することができ、また、メディアの入れ替えの時にメディア記録再生装置のトレイのロードおよびアンロード操作を自動化にすることにより、ユーザーがメディア記録再生装置のイジェクトボタンを操作する必要がなくなるので、フォーマット操作におけるユーザーの負担軽減と時間短縮を図ることができる。
【図面の簡単な説明】
【００２１】
【図１】本発明におけるメディア初期化プログラムでのフォーマット動作の構成図
【図２】本発明におけるメディア初期化プログラムでのフォーマット動作のフローチャート
【図３】従来のメディア初期化プログラムでのフォーマット動作の構成図
【図４】従来のメディア初期化プログラムでのフォーマット動作のフローチャート
【発明を実施するための形態】
【００２２】
以下、本発明を実施するための最良の形態について、図面を参照しながら説明する。
【実施例１】
【００２３】
図１は、本発明のメディア初期化プログラムでのフォーマット動作の構成図である。図１において、図３に相当する符号を有するものは、同じ内容なので、詳細な説明は省略する。図１において、第１のフォーマット設定処理部１０１は、図３の第１のフォーマット設定処理部３０１と同様（第１のフォーマット設定ステップ）である。フォーマット実行処理部１０２は、図３のフォーマット実行処理部３０２と同様である（第１のフォーマット設定ステップ）。フォーマット終了処理部３０３は、図３のフォーマット終了処理部３０３と同様である。フォーマット継続処理部１０４は、続けて別のメディアをフォーマットするかどうかをユーザーに問い合わせて、ユーザーからの応答に基づいてフォーマット動作に移行するための処理を行う（決定ステップ）。第２のフォーマット設定処理部１０５は、前記フォーマット継続処理部１０４でフォーマット続行を選択したが第１のフォーマット設定処理部１０１で取得したフォーマット設定とは異なるフォーマット設定でフォーマット実行する場合、ユーザーが新たに設定したフォーマット設定情報を取得する（第２のフォーマット設定ステップ）。
【００２４】
第１のフォーマット設定ステップで設定したフォーマット設定情報、または、第２のフォーマット設定ステップでユーザーが新たに設定したフォーマット設定情報によって、続けてフォーマット動作を行うステップが、第２のフォーマット実行処理ステップである。
【００２５】
本発明におけるメディア初期化プログラムでは、フォーマット継続処理部１０４と第２のフォーマット設定処理部１０５を追加したものである。
【００２６】
図２は、本発明の実施の形態１メディア初期化プログラムの図１の構成図におけるフォーマット動作を説明するフローチャートである。図２において、図４と同じステップを有するものは、同じ内容なので、詳細な説明は省略する。図２において、図１を参照しながら説明する。
【００２７】
ステップＳ２０１は、メディア初期化プログラムを起動するステップで、図４のステップＳ４０１と同様である。
【００２８】
ステップＳ２０２は、ユーザーが入力したフォーマット設定を取得するステップで、図４のステップＳ４０２と同様である。
【００２９】
ステップＳ２０３は、前記ステップＳ２０２でユーザーが入力したフォーマット設定を確認するステップで、図４のステップＳ４０３と同様である。なお、ステップＳ２０２とＳ２０３は、第１のフォーマット設定処理部１０１に相当する。
【００３０】
ステップＳ２０４は、前記ステップＳ２０２で取得したフォーマット設定の条件で、メディアをフォーマットするステップで、図４のステップＳ４０４と同様である。なお、ステップＳ２０４は、フォーマット実行処理部１０２に相当する。
【００３１】
ステップＳ２０５は、前記ステップＳ２０４でのフォーマット動作が終了したときの処理を行うステップで、図４のステップＳ４０５と同様である。なお、ステップＳ２０５は、フォーマット終了処理部に相当する。
【００３２】
ステップＳ２０６は、前記ステップＳ２０２で取得したフォーマット設定と同じ設定で別のメディアをフォーマットするか否かを判定するステップである。
【００３３】
ステップＳ２０７は、前記ステップＳ２０６で取得した同一フォーマット設定でフォーマットを続行しないと判定された場合、前記ステップＳ２０２で取得したフォーマット設定とは異なるフォーマット設定で別のメディアをフォーマットするか否かを判定するステップである。ステップＳ２０６とステップＳ２０７は、フォーマット継続処理部１０４に相当する。
【００３４】
ステップＳ２０７でフォーマット続行すると判定された場合、ステップＳ２０２に移行してユーザーが新たにフォーマット設定を選択入力する必要があるが、ここでもフォーマット設定情報を取得するステップがある。これは、第２のフォーマット設定処理部に相当する。
【００３５】
ステップＳ２０８は、前記ステップＳ２０６でフォーマット続行すると判定された場合、別のメディアを入れ替えてメディア記録再生装置のトレイをロードさせるコマンドを送るステップである。
【００３６】
ステップＳ２０９は、前記ステップＳ２０７でフォーマット続行すると判定された場合、別のメディアを入れ替えてメディア記録再生装置のトレイをロードさせるコマンドを送るステップであり、ステップＳ２０８と同様である。
【００３７】
ステップＳ２１０は、前記ステップＳ２０５でのフォーマット終了後、別のメディアを続けてフォーマットしないと判定された場合、メディア初期化プログラムを終了させるステップで、図４のステップＳ４０８と同様である。
【００３８】
前記従来のメディア初期化プログラムでは、ステップＳ２０５のフォーマット動作が終了した後は、メディア記録再生装置のトレイをアンロードさせるためのコマンドを送ってトレイをアンロードさせている場合があれば、そうでない場合があったが、本発明のメディア初期化プログラムは、フォーマット動作が終了した後は、メディア記録再生装置のトレイをアンロードさせるためのコマンドを送ってトレイをアンロードさせることを必須とする。それは、フォーマットを続行するとなった場合、わざわざユーザーがメディア記録再生装置のイジェクトボタンを操作してメディアを入れ替えるといった手間を省略させるためである。
【００３９】
前記従来のメディア初期化プログラムでは、フォーマット動作が終了した後、ステップＳ２０６またはステップＳ２０７でフォーマット動作が終了したことをユーザーに通知して、ユーザーがフォーマットを続ける場合は、自分でメディアを入れ替えてからステップＳ２０２でフォーマット設定を行っていたが、本発明のメディア初期化プログラムは、フォーマット終了とともに別のメディアをフォーマットするか否かをユーザーに通知して、ユーザーからの応答に基づいて再度フォーマットを実行する機能を追加する。具体的には、ステップＳ２０６では、ステップＳ２０２で取得したフォーマット設定のままで別のメディアをフォーマットするか否かのメッセージを発信してユーザーに問い合わせる。ユーザーがフォーマットすると応答した場合、ステップＳ２０８でメディア記録再生装置のトレイをロードさせるコマンドを送ってトレイをロードさせた後、ステップＳ２０４のフォーマット実行ステップに移行して、フォーマット動作を行う。従来のメディア初期化プログラムでは、ステップＳ２０８のようにメディア記録再生装置のトレイをロードさせるコマンドを発信しないので、ユーザーがメディア記録再生装置のイジェクトボタンを押してトレイをロードさせていた（ステップＳ４０７）が、本発明のメディア初期化プログラムでは、フォーマット続行時のメディアのロード動作はユーザーの操作の必要なしで行うので、メディア入れ替えの自動化が図られることになる。ステップＳ２０６で、ユーザーがフォーマットしないと応答した場合、ステップＳ４０７で、フォーマット設定を変更もしくは再設定をしてから別のメディアをフォーマットするか否かのメッセージを発信してユーザーに問い合わせる。ユーザーがフォーマットすると応答した場合、ステップＳ２０９でメディア記録再生装置のトレイをロードさせるコマンドを送ってトレイをロードさせるが、このステップは前記ステップＳ２０８と同様である。トレイをロードさせた後は、ステップＳ２０２のフォーマット設定に移行して、ユーザーが再度設定したフォーマット設定情報を取得してから、ステップＳ２０４でフォーマット動作を実行する。従来のメディア初期化プログラムのステップＳ４０６でフォーマット続行すると判定された場合の移行と同様になるが、本発明のメディア初期化プログラムでは、メディア記録再生装置のトレイのロードおよびアンロードの自動化が図られることになる。ステップＳ２０７で、ユーザーがフォーマットしないと応答した場合、ステップＳ２１０でメディア初期化プログラムを終了させるための処理が行われる。
【００４０】
かかる構成によれば、フォーマット動作終了時にフォーマット続行を問い合わせるメッセージを発信し、同一設定でフォーマットを続行する場合、フォーマット実行ステップに移行することにより、フォーマット設定ステップに移行しないのでユーザー操作が不要となり、ユーザーへの負荷軽減と時間短縮を意図とした連続フォーマットの自動化を実現することができる。
【産業上の利用可能性】
【００４１】
本発明にかかるメディア初期化プログラムは、同一のフォーマット設定による複数枚のメディアのフォーマット動作を自動的かつ連続的に実行することが可能になるので、複数枚のメディアの連続自動フォーマット機能を備えたメディア初期化プログラムとして有用である。
【符号の説明】
【００４２】
１０１，３０１    第１のフォーマット設定処理部
１０２，３０２    フォーマット実行処理部
１０３，３０３    フォーマット終了処理部
１０４    フォーマット継続処理部
１０５    第２のフォーマット設定処理部
【図１】
2011096336.tif 000003
【図２】
2011096336.tif 000004
【図３】
2011096336.tif 000005
【図４】
2011096336.tif 000006